(57)【要約】【課題】  所望のファイル同士を、それぞれ所望のタイミングで関連付けすることを可能とする。【解決手段】  各ファイルのヘッダ情報にリレーションコードを付加し、或いは各ファイルのファイル名に追加するかたちでリレーションコードを付加する。このリレーションコードは、制御部が自動でユニークなコードを形成してもよいし、ユーザにより入力されたコードを用いてもよい。制御部は、同じリレーションコードを有するファイル同士を、それぞれ関連性のあるファイルとして認識し、それぞれ同一のフォルダ（リレーションフォルダ）に格納して管理する。リレーションコードは、所望のファイルに対して所望のタイミングで付加することができる。このため、所望のファイル同士を、それぞれ所望のタイミングで関連付けすることを可能とすることができる。【選択図】  図３
2006127008.tif 000002
【特許請求の範囲】
【請求項１】
関連性を有するファイル同士であることを示す同じリレーションコードが、ヘッダ情報、或いはファイル名にそれぞれ付加された複数のファイルが記憶された記憶手段と、
上記記憶手段に記憶されているファイルのうち、再生が指定されたファイルの再生を行う再生手段と、
上記再生手段により再生されているファイルに付加されているリレーションコードに基づいて、同じリレーションコードが付加された、該再生中のファイルと関連性を有する関連ファイルを上記記憶手段から検索して表示手段に表示する関連ファイル検索手段と、
上記関連ファイル検索手段により上記表示手段に表示された関連ファイルのうち、再生が指定された関連ファイルの再生を行うように上記再生手段を制御する制御手段と
を有する端末装置。
【請求項２】
請求項１に記載の端末装置であって、
上記再生手段により再生されたファイルが音楽ファイルであり、上記再生が指定された関連ファイルが、この再生中の音楽の歌詞のテキストファイル、或いは再生中の音楽に関連する画像ファイルであった場合、上記制御手段は、上記音楽ファイルを再生すると共に、上記歌詞のテキストファイル、或いは再生中の音楽に関連する画像ファイルを表示部に表示するように上記再生手段を制御すること
を特徴とする端末装置。
【請求項３】
請求項１又は請求項２に記載の端末装置であって、
Ｗｅｂブラウジング手段を有し、
上記制御手段は、上記再生が指定されることで上記再生手段を制御して再生した関連ファイルが、現在再生中のファイルに関連するＷｅｂサイトのアドレスを示すテキストファイルであった場合、このテキストファイルが示すアドレスにアクセスするように上記Ｗｅｂブラウジング手段を制御すること
を特徴とする端末装置。
【請求項４】
請求項１から請求項３のうち、いずれか一項に記載の端末装置であって、
電話手段を有し、
上記制御手段は、上記再生が指定されることで上記再生手段を制御して再生した関連ファイルが、現在再生中のファイルに関連する電話サービスの電話番号を示すテキストファイルであった場合、このテキストファイルが示す電話番号に電話を掛けるように上記電話手段を制御すること
を特徴とする端末装置。
【請求項５】
関連性を有するファイル同士であることを示す同じリレーションコードが、ヘッダ情報、或いはファイル名にそれぞれ付加された複数のファイルが記憶された記憶手段から、再生が指定されたファイルの再生を行うように再生手段を再生制御する再生制御手段と、
上記再生手段により再生されているファイルに付加されているリレーションコードに基づいて、同じリレーションコードが付加された、該再生中のファイルと関連性を有する関連ファイルを上記記憶手段から検索して表示手段に表示する関連ファイル検索手段と、
上記表示手段に表示された関連ファイルのうち、再生が指定された関連ファイルの再生を行うように上記再生手段を再生制御する制御手段
としてコンピュータを機能させるためのファイル制御プログラム。
【請求項６】
請求項５に記載のファイル制御プログラムであって、
上記再生手段により再生されたファイルが音楽ファイルであり、上記再生が指定された関連ファイルが、この再生中の音楽の歌詞のテキストファイル、或いは再生中の音楽に関連する画像ファイルであった場合、上記制御手段としてコンピュータを機能させる際に、上記音楽ファイルを再生すると共に、上記歌詞のテキストファイル、或いは再生中の音楽に関連する画像ファイルを表示部に表示するように上記再生手段を制御する制御手段としてコンピュータを機能させること
を特徴とするファイル制御プログラム。
【請求項７】
請求項５又は請求項６に記載のファイル制御プログラムであって、
上記再生が指定されることで上記再生手段を制御して再生した関連ファイルが、現在再生中のファイルに関連するＷｅｂサイトのアドレスを示すテキストファイルであった場合、上記制御手段としてコンピュータを機能させる際に、このテキストファイルが示すアドレスにアクセスするようにＷｅｂブラウジング手段を制御する制御手段としてコンピュータを機能させること
を特徴とするファイル制御プログラム。
【請求項８】
請求項５から請求項７のうち、いずれか一項に記載のファイル制御プログラムであって、
上記再生が指定されることで上記再生手段を制御して再生した関連ファイルが、現在再生中のファイルに関連する電話サービスの電話番号を示すテキストファイルであった場合、上記制御手段としてコンピュータを機能させる際に、このテキストファイルが示す電話番号に電話を掛けるように電話手段を制御する制御手段としてコンピュータを機能させること
を特徴とするファイル制御プログラム。
【発明の詳細な説明】
【技術分野】
【０００１】
本発明は、例えば携帯電話機，ＰＨＳ電話機（PHS：Personal Handyphone System）、ＰＤＡ装置（PDA：Personal Digital Assistant）等の携帯端末装置の他、ノート型のパーソナルコンピュータ装置或いはデスクトップ型のパーソナルコンピュータ装置等の端末装置に適用して好適な端末装置及びファイル制御プログラムに関する。
【背景技術】
【０００２】
携帯電話機は、持ち運びが可能であり、基地局からの電波が届く範囲であれば、所望のタイミング、所望の場所で通話等の通信を行うことが可能となっている。また、近年における携帯電話機は、通話機能の他、メール送受信機能、Ｗｅｂブラウジング機能、カメラ機能、或いは赤外線通信機能等も設けられている。このように多機能化された携帯電話機は、ユーザにとって非常に利便性の高いものであり、一般に広く普及している。
【０００３】
ここで、携帯電話機が広く普及した理由の一つとして、所望の着信音が選択可能であることを掲げることができる。この着信音は、初期の頃には単一の電子音による着信音であったが、和音化、ステレオ化、高音質化、サラウンド化等のオーディオの進化の過程が継承されることで、近年では、音楽自体が着信音となっている。
【０００４】
このように着信音としても利用可能な音楽データは、所定のＷｅｂサイトからダウンロードして携帯電話機のメモリに記憶するのであるが、ダウンロードされるデータは音楽データのみとなっている。このため、アナログレコードやコンパクトディスクを購入した際に付属するアルバムジャケット、歌詞カード、解説文等の音楽データに関連した情報を取得する機会が減っている。
【０００５】
特開２００２−２１５１７４号の公開特許公報（特許文献１）には、音楽データに関連した画像データを表示させる携帯端末装置が開示されている。この携帯端末装置の場合、音楽データと、この音楽データに関連する画像データやテキストデータ等を、所定のＷｅｂサイトから一括してダウンロードし、当該携帯端末装置の記憶媒体に記憶する。画像データは、ジャケット画像や、アーチストの画像、販売広告の画像であり、テキストデータは、歌詞となっている。携帯端末装置は、音楽データの再生中に、この画像データやテキストデータを自動的に再生し、表示部に表示する。これにより、音楽を聴きながら、画像データやテキストデータを確認可能となっている。
【０００６】
【特許文献１】特開２００２−２１５１７４号公報（第４頁〜第６頁：図４）
【発明の開示】
【発明が解決しようとする課題】
【０００７】
しかし、上述の特許文献１に開示されている携帯端末装置の場合、音楽データ及び関連データ（画像データ、テキストデータ等）は、予め相互に関連付けされており、ダウンロード時には、上記音楽データ及び関連データは、一塊りのデータとして一括してユーザの携帯端末装置にダウンロードされる。
【０００８】
このため、音楽データに関連付けされている上記関連データは固定的なものとなり、ユーザが後から所望の画像データやテキストデータ等を追加するかたちで関連付けすることが困難となる問題があった。
【０００９】
本発明は、上述の課題に鑑みてなされたものであり、所望のデータファイルに対して所望の関連データファイルを簡単かつ所望のタイミングで関連付けすることができるような端末装置及びファイル制御プログラムの提供を目的とする。
【課題を解決するための手段】
【００１０】
本発明に係る端末装置は、上述の課題を解決するための手段として、
関連性を有するファイル同士であることを示す同じリレーションコードが、ヘッダ情報、或いはファイル名にそれぞれ付加された複数のファイルが記憶された記憶手段と、
上記記憶手段に記憶されているファイルのうち、再生が指定されたファイルの再生を行う再生手段と、
上記再生手段により再生されているファイルに付加されているリレーションコードに基づいて、同じリレーションコードが付加された、該再生中のファイルと関連性を有する関連ファイルを上記記憶手段から検索して表示手段に表示する関連ファイル検索手段と、
上記関連ファイル検索手段により上記表示手段に表示された関連ファイルのうち、再生が指定された関連ファイルの再生を行うように上記再生手段を制御する制御手段と
を有する。
【００１１】
このような本発明に係る端末装置は、各ファイルのヘッダ情報、或いは各ファイルのファイル名に追加するかたちでリレーションコードが付加されている。このリレーションコードは、自動でユニークなコードを形成してもよいし、ユーザにより入力されたコードを用いてもよい。また、リレーションコードは、所望のファイルに対して所望のタイミングで付加することができる。これにより、同じリレーションコードを有するファイル同士を、それぞれ関連性のあるファイルとして認識して管理することを可能とすることができる。
【００１２】
また、本発明に係るファイル制御プログラムは、
関連性を有するファイル同士であることを示す同じリレーションコードが、ヘッダ情報、或いはファイル名にそれぞれ付加された複数のファイルが記憶された記憶手段から、再生が指定されたファイルの再生を行うように再生手段を再生制御する再生制御手段と、
上記再生手段により再生されているファイルに付加されているリレーションコードに基づいて、同じリレーションコードが付加された、該再生中のファイルと関連性を有する関連ファイルを上記記憶手段から検索して表示手段に表示する関連ファイル検索手段と、
上記表示手段に表示された関連ファイルのうち、再生が指定された関連ファイルの再生を行うように上記再生手段を再生制御する制御手段
としてコンピュータを機能させることで上述の課題を解決する。
【００１３】
このような本発明に係るファイル制御プログラムは、各ファイルのヘッダ情報、或いは各ファイルのファイル名に追加するかたちでリレーションコードが付加されている。このリレーションコードは、自動でユニークなコードを形成してもよいし、ユーザにより入力されたコードを用いてもよい。また、リレーションコードは、所望のファイルに対して所望のタイミングで付加することができる。これにより、同じリレーションコードを有するファイル同士を、それぞれ関連性のあるファイルとして認識して管理することを可能とすることができる。
【発明の効果】
【００１４】
本発明は、各ファイルのヘッダ情報、或いは各ファイルのファイル名に追加するかたちでリレーションコードを付加し、同じリレーションコードを有するファイル同士を、関連性を有するファイル同士として認識する。リレーションコードは、所望のファイルに対して所望のタイミングで付加することができるため、所望のファイルに対して所望の関連ファイルを簡単かつ所望のタイミングで関連付けすることができる。
【発明を実施するための最良の形態】
【００１５】
［携帯電話機の構成］
本発明は、携帯電話機に適用することができる。この本発明の実施の形態となる携帯電話機は、図１に示すように基地局との間でデータの送受信を行うアンテナ１及び通信回路２と、受話音声，着信音，動画ファイルの音声，音楽ファイルの音声等の音声出力を得るためのスピーカ部３と、送話音声等を集音するマイクロホン部４と、待ち受け画像や携帯メールの文字等の他、後に説明する遠隔制御プログラムに基づいて表示されるユーザインターフェイス画面を表示する表示部５とを有している。
【００１６】
また、この携帯電話機は、入力操作を行うためのテンキーや回転操作キー等の複数のキーが設けられた操作部６と、着呼や携帯メールの着信等を光で知らせるための発光部７（LED：Light Emitting Diodes）と、所望の被写体の撮像を行うためのカメラ部８と、着呼や携帯メールの着信等を当該携帯電話機を振動させることで知らせるバイブレーションユニット９と、当該携帯電話機に着脱可能な外部メモリ１１に対して電気的接続を図るための外部メモリインターフェイス１０（外部メモリＩＦ）と、テレビジョン信号を受信するアンテナ１２及びテレビジョンユニット１３とを有している。
【００１７】
また、この携帯電話機は、通信処理プログラム（コミュニケーションプログラム）や、以下に説明する音楽ファイル及びこの音楽ファイルに関連付けされた画像ファイル等の関連ファイルのファイル管理を行うファイル管理プログラム等が記憶されたメモリ１４と、当該携帯電話機の全体の動作を制御する制御部１５とを有している。
【００１８】
メモリ１４には、図２に示すように所定のＷｅｂサイトからダウンロードされ、或いはパーソナルコンピュータ装置の端末装置から読み込まれた一つ或いは複数の音楽ファイル（音楽ファイルａ〜ｃ・・・）と、
この音楽ファイルに対して関連付けされる画像ファイル（画像ファイルａ〜ｃ・・・）、テキストファイル（テキストファイルａ〜ｃ・・・）、ＵＲＬリンクファイル（ＵＲＬリンクファイルａ〜ｃ・・・）、電話番号リンクファイル（電話番号リンクファイルａ〜ｃ・・・）、二次元コードリンクファイル（二次元コードリンクファイルａ〜ｃ・・・）等の関連ファイルと
が記憶されている。
【００１９】
上記音楽ファイルは、着信メロディとして設定することが可能となっており、
上記画像ファイルは、例えば歌手の写真やアルバムジャケットの写真、ユーザがカメラ部８を用いて撮像した所望の写真等となっており、
上記テキストファイルは、曲の歌詞やライナーノーツ、或いはユーザが操作部６を操作することで入力した文章等となっている。
【００２０】
また、上記ＵＲＬリンクファイル（URL：Uniform Resource Locator）は、インターネット等の所定のネットワーク上のＷｅｂサイトに接続するためのアドレスファイルとなっており、
上記電話番号リンクファイルは、この電話番号に電話を掛けることで所定の電話サービスを受けることが可能な電話番号となっており、
上記二次元コードリンクファイルは、コードリーダ装置により読み込まれ解析されることで、所定のサービスを受けることが可能な二次元コードとなっている。
【００２１】
［ファイルの関連付け］
当該実施の形態の携帯電話機においては、メモリ１４に記憶される音楽ファイルや関連ファイルのうち、所望のファイルに対してそれぞれ同じ「リレーションコード（relation code：関連コード）」を付加することにより、該同じ「リレーションコード」を付加した複数のファイル同士を簡単に関連付け可能となっている。
【００２２】
このリレーションコードは、音楽ファイルやその関連ファイルを提供する提供者（例えば、音楽ファイルを配信しているＷｅｂサイトの管理者）が、図３（ａ）に示すように関連性を持たせる各ファイルに対して予め付加する。後述するが、当該携帯電話機の制御部１５は、各ファイルに付加されているリレーションコードに基づいて各ファイルの関連性を検出し、該各ファイルの管理を行う。
【００２３】
また、図３（ｂ）に示すように、ユーザにより選択された各ファイルのヘッダ情報に対して、それぞれ同じリレーションコードを付加し、或いは図３（ｃ）に示すように、ユーザにより選択された各ファイルのファイル名に対して、それぞれ同じリレーションコードを付加（＝ファイル名の一部にリレーションコードを組み込む）してもよい。
【００２４】
この場合、ユーザは、操作部６を介して、ファイルの関連付けを指定操作する。この指定操作を検出すると制御部１５は、例えばメモリ１４に記憶されている各ファイルのファイル名を読み出し、これを図４（ａ）に示すように表示部５に表示制御する。図４（ａ）は、「雨の降る日という曲の音楽ファイルのファイル名」、「雨の降る日という曲の歌詞（テキストファイル）のファイル名」、「曇り空という曲の歌詞（テキストファイル）のファイル名」、「"あじさい"との表題が付けられた画像ファイルのファイル名」、「"夏祭り"との表題が付けられた画像ファイルのファイル名」が表示された例を示している。
【００２５】
ユーザは、操作部６を操作することで、図４（ｂ）に示すように、表示部５に表示された各ファイルの中から関連付けを行うファイルを選択操作する。この図４（ｂ）に示す例は、「雨の降る日という曲の音楽ファイル」、「雨の降る日という曲の歌詞のテキストファイル」、及び「"あじさい"との表題が付けられた画像ファイル」が、関連付けを行うファイルとして選択された例を示している。
【００２６】
ユーザは、このようにして関連付けを行うファイルを選択すると、操作部６の決定キーを押圧操作する。制御部１５は、この場合において決定キーの押圧操作を検出すると、例えば図４（ｃ）に示すようにユーザの上記選択により関連付けが指定された各ファイルのファイル名を表示部５に表示制御する。
【００２７】
また、制御部１５は、ユニークなリレーションコードを形成し（リレーションコードは、ユーザにより入力されたコードを用いるようにしてもよい。）、これをユーザにより選択された各ファイルのヘッダ情報のリザーブ領域に書き込み（図３（ｂ）参照）、或いはユーザにより選択された各ファイルのファイル名の一部にリレーションコードを組み込むかたちで、該各ファイルのファイル名を書き換え制御する（図３（ｃ）参照）。
【００２８】
なお、制御部１５により形成されたユニークなリレーションコードが例えば「１２３４」であった場合、ファイル名の一部にリレーションコードを組み込むことで作成される新たなファイル名は、「雨の降る日．１２３４．ｔｘｔ（ｔｘｔはテキストファイルの拡張子）」或いは「雨の降る日．１２３４．ｊｐｇ（ｊｐｇは画像ファイルの拡張子）」等に変更される。
【００２９】
［関連付けされたファイルの管理動作］
次に、このように各ファイルに対してリレーションコードが付加されると、自動的或いは半自動的に関連付けされた各ファイルが制御部１５により認識され管理されるようになっている。
【００３０】
〔自動管理〕
まず、音楽ファイルやその関連ファイルを提供する提供者により予めリレーションコードが付されたファイルのダウンロードを行った場合、各関連付けされたファイルの自動管理が可能となる。図５のフローチャートに、この自動管理の場合の動作の流れを示す。このフローチャートは、当該携帯電話機でＷｅｂサイトから何らかのファイルをダウンロードした際、或いは外部メモリ１１からファイルの読み込みを行った際に、制御部１５がメモリ１４に記憶されているファイル管理プログラムに基づいてスタートさせる。
【００３１】
このフローチャートをスタートさせると、制御部１５は、ステップＳ１において、上記ダウンロード或いは読み込みを行ったファイルの確認を行い、処理をステップＳ２に進める。
【００３２】
次に、この携帯電話機の場合、ユーザは、当該自動管理を行うか否かを予め選択設定可能となっており、この設定情報がメモリ１４に記憶されている。このため、制御部１５は、ステップＳ２において、このメモリ１４に記憶されている設定情報に基づいて、自動管理を行う設定がなされているか否かを判別し、この自動設定がなされていない場合は、そのままこの図５のフローチャートを終了する。
【００３３】
これに対して、制御部１５は、自動設定がなされている場合はステップＳ３に処理を進め、上記ダウンロード或いは読み込みを行ったファイルにリレーションコードが付加されているか否かを判別する。
【００３４】
具体的には、この例の場合、例えば図６（ａ）に示すように各ファイルには、提供者により、「code：１２３４」等のリレーションコードがヘッダ情報に予め付加されている。このため、制御部１５は、このヘッダ情報を検索することで、リレーションコードの有無を判別する。そして、リレーションコードが付加されていない場合は、当該ファイルの自動管理を行うことができないため、そのままこの図５のフローチャートを終了し、リレーションコードが付加されている場合は、ステップＳ４に処理を進める。
【００３５】
ステップＳ４では、制御部１５が、上記ステップＳ３で検出されたリレーションコードに対応するフォルダ（リレーションフォルダ）がメモリ１４内に存在するか否かを判別する。具体的には、図６（ｂ）に示すように、「code：１２３４」のリレーションコードが付されたテキストファイルがダウンロード等された場合、制御部１５は、ステップＳ４において、図６（ｃ）に示すように、この「code：１２３４」のリレーションコードを有するリレーションフォルダがメモリ１４内に存在するか否かを判別する。
【００３６】
すなわち、図６（ｃ）において、「code：１２３４」が付された音楽ファイルａ及び画像ファイルａで形成されるフォルダが、このリレーションフォルダである。同様に、「code：５２５２」が付された音楽ファイルｂ及び画像ファイルｂで形成されるフォルダ、及び「code：８８１８」が付された音楽ファイルｃ及び画像ファイルｃで形成されるフォルダが、このリレーションフォルダである。
【００３７】
この例の場合、ダウンロードされたテキストファイルには「code：１２３４」のリレーションコードが付されているため、制御部１５は、上記ステップＳ４において、この「code：１２３４」のリレーションコードに対応するリレーションフォルダ（＝上記音楽ファイルａ及び画像ファイルａのリレーションフォルダ）を検出することとなる。
【００３８】
次に、このステップＳ４において、メモリ１４内に上記リレーションコードに対応するリレーションフォルダが存在しないと判別した場合、制御部１５は、ステップＳ６に処理を進め、メモリ１４に記憶するファイルに付されたリレーションコードに対応するリレーションフォルダを該メモリ１４内に形成しステップＳ５に処理を進める。
【００３９】
次に、上記ステップＳ４において、上記リレーションコードに対応するリレーションフォルダがメモリ１４内に存在することを検出し、或いは上記ステップＳ６において上記リレーションコードに対応するリレーションフォルダを新たに形成することで処理をステップＳ５に進めると、制御部１５は、この検出或いは新たに形成したリレーションフォルダに、上記ダウンロード等したファイルを移動制御してこの図５のフローチャートを終了する。
【００４０】
具体的には、上記ダウンロード等されたファイルが「code：１２３４」のリレーションコードが付されたテキストファイルであり、メモリ１４内に、音楽ファイルａ及び画像ファイルａからなる「code：１２３４」のリレーションフォルダが検出された場合、制御部１５は、図６（ｄ）に示すように、この「code：１２３４」のリレーションフォルダに、「code：１２３４」のリレーションコードが付されたテキストファイルを移動制御する。そして、「code：１２３４」のリレーションフォルダを、音楽ファイルａ、画像ファイルａ及びテキストファイルａからなるリレーションフォルダとして更新し、この図５のフローチャートを終了する。
【００４１】
〔半自動管理〕
次に、図４（ａ）〜（ｃ）を用いて説明したように、手動で各ファイルの関連付けが行われた場合、制御部１５は、図７のフローチャートに示す動作で各関連付けされたファイルの半自動管理を行う。このフローチャートは、ユーザにより操作部６を介してファイルの関連付けが指定されたことを制御部１５が検出することでスタートとなる。
【００４２】
ステップＳ１１では、制御部１５が、図４（ａ）を用いて説明したように、メモリ１１に記憶されている各ファイルのファイル名の一覧を表示部５に表示制御して処理をステップＳ１２に進める。
【００４３】
図４（ｂ）を用いて説明したように、ユーザは、この一覧表示されたファイルの中から関連付けを行うファイルを選択し決定キーを操作して、該選択したファイルの関連付けを指定するのであるが、ステップＳ１２では、制御部１５が、この決定キーの操作の有無を判別することにより、ユーザにより関連付けを行うファイルが選択されたか否かを判別し、該選択がなされたことを検出したタイミングで処理をステップＳ１３に進める。
【００４４】
次に、制御部１５は、ステップＳ１３において、上記ステップＳ１２でユーザにより選択された各ファイルに対してリレーションコードを付加する。このリレーションコードの付加は、図３（ｂ）を用いて説明したように、各ファイルのヘッダ情報のリザーブ領域に付加してもよいし、図３（ｃ）を用いて説明したように、各ファイルのファイル名の一部として付加してもよい。また、各ファイルに付加するリレーションコードは、制御部１５がユニークなリレーションコードを形成してもよいし、ユーザにより入力されたリレーションコードを用いるようにしてもよい。
【００４５】
次に制御部１５は、ステップＳ１４において、上記ステップＳ１２で関連付けが指定された各ファイルを格納するリレーションフォルダをメモリ１４内に形成する。そして、このリレーションフォルダに対して、所定のフォルダ名を付加する。
【００４６】
リレーションフォルダのフォルダ名としては、制御部１５が、上記ステップＳ１３で各ファイルに付加したリレーションコードの全部或いは一部を該フォルダ名としてリレーションフォルダに付加する。或いは、制御部１５が、例えば「フォルダ名を入力してください」等の、フォルダ名の入力を促すメッセージを表示部５に表示制御し、このメッセージに対応してユーザから入力されたフォルダ名の全部或いは一部を該フォルダ名としてリレーションフォルダに付加する。
【００４７】
次に制御部１５は、ステップＳ１５において、このフォルダ名を付加したリレーションフォルダに対して、上記リレーションコードを付加した各ファイルを格納し、この図７に示すフローチャートを終了する。これにより、関連付けを行うファイルの選択は手動で行う必要があるが、このファイルの選択後は、各ファイルが自動的に関連性のあるフォルダに格納されて管理されることとなる。
【００４８】
このように、当該実施の形態の携帯電話機は、所望のファイルを指定することで、該各ファイルに対して自動的に或いは半自動的にリレーションコードが付加され、同じリレーションコードが付加されたファイル同士が関連性のあるファイルとして管理される。このため、所望のファイルに対して所望のタイミングでかつ簡単に関連性を持たせて管理することができる。
【００４９】
〔リレーション管理テーブル〕
以上の説明では、関連性を持たせる各ファイルに対してそれぞれ同じリレーションコードを付加することで、該同じリレーションコードを有する各ファイルを関連性を有するファイルとして管理することとしたが、これは、図３（ｄ）に示すように例えばファイルＡ，ファイルＢ及びファイルＥは第１のファイル群、ファイルＤ，ファイルＣ及びファイルＦは第２のファイル群・・・等のように、どのファイルがどのファイル群に属するかということを管理するリレーション管理テーブルをメモリ１４に設け、このリレーション管理テーブルで各ファイルの関連性を管理するようにしてもよい。
【００５０】
図８は、各ファイルの関連性を管理するリレーション管理テーブルの更新動作を示すフローチャートである。この図８のフローチャートは、ユーザにより操作部６を介してファイルの関連付けが指定されたことを制御部１５が検出することでスタートとなる。
【００５１】
ステップＳ２１では、制御部１５が、図４（ａ）を用いて説明したように、メモリ１１に記憶されている各ファイルのファイル名の一覧を表示部５に表示制御して処理をステップＳ２２に進める。
【００５２】
図４（ｂ）を用いて説明したように、ユーザは、この一覧表示されたファイルの中から関連付けを行うファイルを選択し決定キーを操作して、該選択したファイルの関連付けを指定するのであるが、ステップＳ２２では、制御部１５が、このユーザにより手動で選択された各ファイルを認識して処理をステップＳ２３に進める。
【００５３】
ステップＳ２３では、制御部１５が、上記ステップＳ２１においてユーザにより関連付けが指定された各ファイルを格納するリレーションフォルダをメモリ１４内に形成し、このリレーションフォルダに、上記ユーザにより関連付けが指定された各ファイルを格納して処理をステップＳ２４に進める。
【００５４】
ステップＳ２４では、制御部１５が、図３（ｄ）に示すように、各フォルダと、該各フォルダにそれぞれ格納されるファイルの関係を示すリレーション管理テーブルに対して、ステップＳ２３で新たに形成されたリレーションフォルダのフォルダ名、及びこのリレーションフォルダに格納される各ファイル名を記憶制御することで、該リレーション管理テーブルの更新を行い、この図８のフローチャートを終了する。
【００５５】
このようにメモリ１４にリレーション管理テーブルを設けることで、リレーションコードを用いることなく各ファイルの関連性を管理することができる。
【００５６】
［再生動作］
次に、このように各ファイルを関連付けて記憶することで、一方のファイルの再生中に、この一方のファイルに関連する他方のファイルを再生することが可能となる。
【００５７】
〔音楽ファイルの再生〕
図９は、音楽ファイルの再生中に歌詞等のテキストファイルを再生する動作の流れを示すフローチャートである。このフローチャートは、ユーザにより操作部６を介して音楽ファイルの再生が指定されることでスタートとなる。
【００５８】
ステップＳ３１では、制御部１５が、ユーザにより選択され再生が指定された音楽ファイルをメモリ１４から読み出し、スピーカ部３を介して発音制御すると共に、この音楽ファイルのファイル名等を図１０（ａ）に示すように表示部５に表示制御して処理をステップＳ３２に進める。
【００５９】
次に制御部１５は、ステップＳ３２において、ユーザにより再生が指定された音楽ファイル（＝現在、再生中の音楽ファイル）に関連するファイルをメモリ１４から検索し、図１０（ｂ）に示すようにこの関連するファイルのファイル名の一覧を表示部５に表示制御する。この図１０（ｂ）に示す例は、現在、再生中の音楽ファイルのファイル名が「雨の降る日（＝曲名）」であり、この音楽ファイルの関連ファイルとして、「雨の降る日の歌詞」、「あじさいの花の画像」、「雨の降る日のホームページのＵＲＬ（オフィシャルサイト）」、「雨の降る日のメッセージダイヤル（電話サービス）」、及び「割引クーポン」の各関連ファイルがメモリ１４内に記憶されていることを示している。
【００６０】
ユーザは、このように一覧表示された関連ファイルの中から所望のファイルを選択して再生を指定する。ユーザによりこの関連ファイルの中から「雨の降る日の歌詞」のテキストファイルが選択された場合、制御部１５は、ステップＳ３３において、メモリ１４に記憶されている各ファイルの中からこのテキストファイルを検索して処理をステップＳ３４に進める。
【００６１】
ステップＳ３４では、制御部１５が、音楽ファイルの再生中にテキストファイルの再生が可能であるか否かを判別し、テキストファイルの再生ができないと判別した場合はステップＳ３６において、例えば「そのファイルは再生できません」等のエラーメッセージを表示部５に表示制御して、この図９のフローチャートを終了する。
【００６２】
これに対して、テキストファイルの再生が可能であると判別した場合、制御部１５はステップＳ３５において、図１０（ｃ）に示すように現在再生中の「雨の降る日」の曲の歌詞であるテキストファイルをメモリ１４から読み出し、これを表示部５に表示制御してこの図９のフローチャートを終了する。
【００６３】
なお、この例は、音楽ファイルの再生中に上記一覧からテキストファイルの再生が指定された場合であったが、該一覧から画像ファイルの再生が指定された場合も同様の動作の流れとなる。この場合、制御部１５は、上記ステップＳ３４において、音楽ファイルの再生中に画像ファイルの再生が可能であるか否かを判別し、画像ファイルの再生ができないと判別した場合はステップＳ３６において、例えば「そのファイルは再生できません」等のエラーメッセージを表示部５に表示制御して、この図９のフローチャートを終了する。
【００６４】
これに対して、画像ファイルの再生が可能であると判別した場合、制御部１５はステップＳ３５において、図１０（ｄ）に示すように現在再生中の「雨の降る日」の曲に合った画像である例えばあじさいの花の画像をメモリ１４から読み出し、これを表示部５に表示制御してこの図９のフローチャートを終了する。
【００６５】
〔メッセージダイヤル〕
次に、図１１は、音楽ファイルの再生中に、この再生中の音楽に関連する電話サービスを受ける動作の流れを示すフローチャートである。このフローチャートは、ユーザにより操作部６を介して音楽ファイルの再生が指定されることでスタートとなる。
【００６６】
ステップＳ４１では、制御部１５が、ユーザにより選択され再生が指定された音楽ファイルをメモリ１４から読み出し、スピーカ部３を介して発音制御すると共に、この音楽ファイルのファイル名等を図１０（ａ）に示すように表示部５に表示制御して処理をステップＳ４２に進める。
【００６７】
次に制御部１５は、ステップＳ４２において、ユーザにより再生が指定された音楽ファイル（＝現在、再生中の音楽ファイル）に関連するファイルをメモリ１４から検索し、図１０（ｂ）に示すようにこの関連するファイルのファイル名の一覧を表示部５に表示制御する。ユーザは、この一覧表示された関連ファイルの中から所望のファイルを選択して再生を指定する。ユーザによりこの関連ファイルの中から「メッセージダイヤル」が選択された場合、制御部１５は、ステップＳ４３において、メモリ１４に記憶されている各ファイルの中からこのメッセージダイヤルのテキストファイルを検索すると共に、図１２に示すようにダイヤル発信の是非を問うメッセージを表示部５に表示制御して処理をステップＳ４４に進める。
【００６８】
このメッセージに対応してユーザからダイヤル発信の実行が指定された場合、制御部１５は、ステップＳ４４において、音楽ファイルの再生中にダイヤル発信が可能であるか否かを判別し、ダイヤル発信ができないと判別した場合はステップＳ４５において、例えば「音楽の再生中はダイヤル発信はできません」等のエラーメッセージを表示部５に表示制御して、この図１１のフローチャートを終了する。
【００６９】
これに対して、ダイヤル発信が可能であると判別した場合、制御部１５はステップＳ４６において、現在行っている音楽ファイルの再生を停止制御する。そして、ステップＳ４７において、「メッセージダイヤル」の電話番号にダイヤル発信を行うように通信回路２を制御する。これにより、図１２に示すように上記「雨の降る日」の発売元が運営する電話サービスに電話が繋がり、例えば歌手のメッセージ等を聞くことができる。
【００７０】
〔ホームページへのアクセス及び割引クーポンサービス〕
次に、上記ファイルの一覧から「ホームページリンク」を選択すると、関連するＷｅｂサイトに自動的にアクセスされ、例えば「割引クーポン」のダウンロード等の所定のサービスを受けることが可能となっている。
【００７１】
図１３は、音楽ファイルの再生中に、この再生中の音楽に関連するＷｅｂサイトにアクセスし、割引クーポンのダウンロードサービスを受ける動作の流れを示すフローチャートである。このフローチャートは、ユーザにより操作部６を介して音楽ファイルの再生が指定されることでスタートとなる。
【００７２】
ステップＳ５１では、制御部１５が、ユーザにより選択され再生が指定された音楽ファイルを再生制御すると共に、この音楽ファイルの関連ファイルのファイル名をメモリ１４から読み出して表示部５に一覧表示して処理をステップＳ５２に進める。
【００７３】
この音楽ファイルの再生中に、ユーザにより図１０（ｂ）に示す「ホームページリンク」が選択されると、制御部１５は、ステップＳ５２において、音楽ファイルの再生中にＷｅｂサイトへのアクセスを図ることが可能であるか否かを判別し、可能である場合に、メモリ１４に記憶されている、この再生中の音楽ファイルに関連するホームページのＵＲＬが記録されたテキストファイルを読み出す。そして、ステップＳ５３において、通信回路２を制御して、このＵＲＬのＷｅｂサイトにアクセスを図る。これにより、現在再生中の音楽ファイルに関連するＷｅｂサイトに自動的にアクセスされ、ユーザは、例えば図１４に示すようにそのホームページを閲覧することが可能となる。
【００７４】
ここで、このＷｅｂサイトにおいて、例えば「割引クーポン」のダウンロードサービスを開催しており、ユーザがこの「割引クーポン」のダウンロードを行った場合、制御部１５は、ステップＳ５４において、図１５（ａ）に示すように上記Ｗｅｂサイトからダウンロードされた「割引クーポン」の画像を表示部５に表示制御する。この図１５（ａ）の例は、いわゆる二次元コードで割引クーポンがダウンロードされた例である。
【００７５】
次に制御部１５は、このダウンロードされた割引クーポンをメモリに保存するか否かを問うメッセージを表示部５に表示制御し、ユーザから「保存」が選択されると、ステップＳ５５及びステップＳ５６において、上記音楽ファイルの関連ファイルとしてリレーションフォルダに割引クーポンのファイルを保存制御することで、この図１３のフローチャートを終了する。
【００７６】
例えば、このように割引クーポンをダウンロードしたユーザは、当該携帯電話機を店舗等に持ち込み、割引クーポンを表示部５に表示したうえで当該携帯電話機を店員に手渡す。店員は、図１５（ｂ）に示すようなコードリーダ装置を用いて、二次元コードとなっている割引クーポンを読み取る。この読み取り操作により、割引クーポンが正規の割引クーポンであることが認められれば、例えば「雨の降る日」のＣＤを、１００円引きで購入できる等の所定のサービスを受けることができる。
【００７７】
〔着信メロディのダウンロードサービス〕
次に、当該実施の形態の携帯電話機が有するブラウジング機能を用いて以下に説明する新規なネットワークサービスを提供することができる。このサービスの流れを図１６のフローチャート及び図１７の模式図に示す。
【００７８】
まず、このサービスは、図１６のフローチャートのステップＳ６１及び図１７に示すように、ユーザが当該携帯電話機を携帯して店舗に出向き、当該携帯電話機に設けられている電子財布機能を用いて所望の商品を購入する。店舗の店員は、電子財布機能（非接触無線通信機能）を用いた決済の際に、この購入された商品に対応するサービスポイントデータを、リーダライタ装置を介してユーザの携帯端末装置に送信する。ユーザの携帯端末装置の制御部１５は、このサービスポイントデータをメモリ１４に記憶制御する。これにより、ステップＳ６２及び図１７に示すように、ユーザの携帯端末装置のメモリ１４には、所定の店舗で商品を購入する毎に上記サービスポイントデータが蓄積されることとなる。
【００７９】
このサービスポイントは、蓄積されたポイントに対応する景品と交換可能となっている。このため、ユーザは、所望の景品との交換に値するサービスポイントがメモリ１４に蓄積されたタイミングで、ステップＳ６３及び図１７に示すように当該携帯電話機のブラウジング機能を用いて所定のＷｅｂサイトにアクセスする。
【００８０】
そして、ステップＳ６４及び図１７に示すように、所望の着信メロディと、メモリ１４に蓄積されたサービスポイントとを交換操作する。この交換操作がなされると、制御部１５は、基地局及びコミュニケーションネットワーク（図１７には通信網として図示）及びホストサーバ装置を介して、メモリ１４に蓄積されているサービスポイントデータのうち、上記交換する着信メロディに対応するポイント分のサービスポイントデータを、インターネット上のＷｅｂサーバ装置に送信すると共に、この送信したポイント分のサービスポイントデータをメモリ１４から削除制御する。
【００８１】
Ｗｅｂサーバ装置は、このサービスポイントデータを受信すると、上記着信メロディの着信データをユーザの携帯端末装置に返信する。ユーザの携帯端末装置の制御部１５は、この着信データを、アンテナ１及び通信回路２を介して取り込み、メモリ１４に保存制御する。
【００８２】
ここで、このＷｅｂサーバ装置からダウンロードされる着信データには、図３（ａ）を用いて説明したように、ヘッダ情報のリザーブ領域にリレーションコードが挿入されている。このため、制御部１５は、図５のフローチャートを用いて説明したように、この着信データに含まれるリレーションコードに基づいて、メモリ１４内にリレーションフォルダを形成し、このリレーションフォルダに着信データを格納する。
【００８３】
これにより、所定の店舗で商品を購入することで蓄積されたサービスポイントで、所定のＷｅｂサイトから着信メロディ等のダウンロードを可能とする新規なネットワークサービスを提供することができる。
【００８４】
〔テレビジョン放送の視聴証明書に基づくプレゼントサービス〕
次に、当該実施の形態の携帯電話機は、以下に説明する新規なネットワークサービスであるテレビジョン放送の視聴証明書に基づくプレゼントサービスを提供することができる。このサービスの流れを図１８のフローチャート及び図１９の模式図に示す。
【００８５】
まず、このサービスは、図１８のフローチャートのステップＳ７１において、携帯電話機の制御部１５が、図１０（ｂ）を用いて説明したように再生中の音楽ファイルに関連するファイルのファイル名一覧を表示部５に表示制御する。このファイル一覧の中から、ユーザにより「ホームページリンク」が選択された場合、制御部１５は、ステップＳ７２及びステップＳ７３において、前述のようにそのホームページにアクセスを図る。これにより、再生中の音楽ファイルに関連するホームページの閲覧が可能となる。
【００８６】
次にユーザは、このホームページを閲覧することで、ステップＳ７４において上記音楽ファイルに対応する歌手が出演する番組を確認し、ステップＳ７５において、その番組のテレビジョン放送を受信するように操作部６を操作する。制御部１５は、この操作がなされると、図１に示すテレビジョンユニット１３を介してユーザにより指定された番組を選局制御し、番組映像を表示部５に表示制御すると共に、番組音声をスピーカ部３を介して発音制御する。
【００８７】
次に、放送局側では、図１９に示すようにこの番組のテレビジョン信号に所定のタイミングで視聴証明書のデータを重畳して放送を行う。携帯電話機の制御部１５は、視聴証明書のデータの受信を検出すると、ステップＳ７６において、この視聴証明書のデータをテレビジョン信号から抽出する。この視聴証明書のデータには、図３（ａ）を用いて説明したように、ヘッダ情報のリザーブ領域にリレーションコードが挿入されている。このリレーションコードは、ユーザが再生していた音楽ファイルに付されているリレーションコードと同じリレーションコードとなっている。このため、制御部１５は、視聴証明書のデータに付されているリレーションコードに基づいて、ユーザが再生していた音楽ファイルが格納されているリレーションフォルダをメモリ１４から検索し、ステップＳ７７において、このリレーションフォルダに視聴証明書のデータを格納する。
【００８８】
次に、ユーザは、ステップＳ７８において、上記ファイル一覧を再度表示させ上記「ホームページリンク」を再度選択することで、再生中の音楽ファイルに関連するホームページの再閲覧を行う。このホームページには、視聴証明書を掲示したユーザに対してプレゼントを行う旨の公募がなされている。このため、ユーザは、ステップＳ７９において、このプレゼントの応募フォームに必要事項を記入のうえ、上記ステップＳ７６及びステップＳ７７で取得した視聴証明書を添付して送信する。
【００８９】
この応募フォーム及び視聴証明書の各データは、制御部１５により、基地局、コミュニケーションネットワーク（通信網）、ホストサーバ装置、インターネットを介して放送局のＷｅｂサーバ装置に送信される。放送局側では、このＷｅｂサーバ装置で応募フォーム及び視聴証明書が集計されたユーザの中から当選者を決定し、後日、そのユーザの自宅等に景品を郵送する。
【００９０】
これにより、テレビジョン放送の視聴証明書に基づいてプレゼントサービスを行う新規なネットワークサービスを提供することができる。
【００９１】
［実施の形態の効果］
以上の説明から明らかなように、この実施の形態の携帯電話機は、所望のファイルを指定することで、該各ファイルに対して自動的に或いは半自動的にリレーションコードが付加され、同じリレーションコードが付加されたファイル同士が関連性のあるファイルとして管理される。このため、所望のファイルに対して所望のタイミングでかつ簡単に関連性を持たせて管理することができる。
【００９２】
或いは、例えばファイルＡ，ファイルＢ及びファイルＥは第１のファイル群、ファイルＤ，ファイルＣ及びファイルＦは第２のファイル群・・・等のように、どのファイルがどのファイル群に属するかということを管理するリレーション管理テーブルをメモリ１４に設け、このリレーション管理テーブルで各ファイルの関連性を管理する。これにより、リレーション管理テーブルを書き換えるだけで、ファイルの関連性を更新することができる。従って、このリレーション管理テーブルを設けた場合でも、リレーションコードを用いた場合と同様に、所望のファイルに対して所望のタイミングでかつ簡単に関連性を持たせて管理することができる。
【００９３】
また、関連付けして管理しているファイルの中に、「所定のＷｅｂサイトのＵＲＬ」、「電話サービスに対応する電話番号」を含ませて管理することで、再生したファイルに関連するＷｅｂサイトへのアクセス、或いは再生したファイルに関連する電話サービスに電話をかけることを可能とすることができる。このため、各ファイルの関連性をメモリ１４に記憶されたファイル間で管理するのみならず、外部の情報機関にまで広げて管理することを可能とすることができる。
【００９４】
［変形例］
なお、上述の実施の形態の説明では、本発明を携帯電話機に適用することとしたが、これは、ＰＨＳ電話機（PHS：Personal Handyphone System），無線通信機能を有するＰＤＡ装置（PDA：Personal Digital Assistant）、無線通信機能を有するノート型のパーソナルコンピュータ装置、或いはネットワークに接続されたデスクトップ型のパーソナルコンピュータ装置等の他の端末装置に適用してもよい。
【００９５】
最後に、上述の実施の形態は、あくまでも本発明の一例として開示したに過ぎない。このため、本発明は、上述の実施の形態に限定されることはなく、上述の実施の形態以外であっても、本発明に係る技術的思想を逸脱しない範囲であれば、設計等に応じて種々の変更が可能であることは勿論であることを付け加えておく。
【図面の簡単な説明】
【００９６】
【図１】本発明を適用した実施の形態の携帯電話機のブロック図である。
【図２】実施の形態の携帯電話機に設けられているメモリに記憶された各種ファイルの模式図である。
【図３】各ファイルに付加されているリレーションコード、及びリレーション管理テーブルを説明するための図である。
【図４】メモリに記憶されている各ファイルの一覧の表示例を示す図である。
【図５】各ファイルに予め付されているリレーションコードに基づく該ファイルの自動管理動作の流れを示すフローチャートである。
【図６】ファイルに付されているリレーションコードに基づいて、該ファイルがリレーションコードに対応するフォルダに各格納されて管理される様子を示す図である。
【図７】ユーザが各ファイルにリレーションコードを付すことで、このリレーションコードに基づいて半自動的にファイル管理が行われる動作の流れを示すフローチャートである。
【図８】リレーション管理テーブルで各ファイルの関連性を管理する動作を説明するためのフローチャートである。
【図９】音楽ファイルの再生中に歌詞のテキストファイルの表示を行う動作を説明するためのフローチャートである。
【図１０】音楽ファイルの再生中に表示される関連ファイルの一覧及び各関連ファイルの表示例を示す図である。
【図１１】音楽ファイルの再生中に関連する電話サービスに電話を掛ける動作を説明するためのフローチャートである。
【図１２】音楽ファイルの再生中に関連する電話サービスに電話を掛ける動作を説明するための模式図である。
【図１３】音楽ファイルの再生中に関連するＷｅｂサイトにアクセスして割引クーポンを取得する動作を説明するためのフローチャートである。
【図１４】音楽ファイルの再生中に関連するＷｅｂサイトにアクセスした際の表示例を示す図である。
【図１５】音楽ファイルの再生中に関連するＷｅｂサイトにアクセスすることで取得した割引クーポン、及びこの割引クーポンの使用例を説明するための図である。
【図１６】電子マネーで商品を購入することで取得したサービスポイントで、所定のＷｅｂサイトから着信メロディのダウンロードを可能とする新規なサービスを説明するためのフローチャートである。
【図１７】電子マネーで商品を購入することで取得したサービスポイントで、所定のＷｅｂサイトから着信メロディのダウンロードを可能とする新規なサービスを説明するための模式図である。
【図１８】放送番組を視聴することで視聴証明書を取得し、この視聴証明書を添付してプレゼントの応募を行う新規なサービスを説明するためのフローチャートである。
【図１９】放送番組を視聴することで視聴証明書を取得し、この視聴証明書を添付してプレゼントの応募を行う新規なサービスを説明するための模式図である。
【符号の説明】
【００９７】
１  アンテナ、２  通信回路、３  スピーカ部、４  マイクロホン部、５  表示部、６  操作部、７  発光部（ＬＥＤ）、８  カメラ部、９  バイブレーションユニット、１０  外部メモリインターフェイス（外部メモリＩＦ）、１１  外部メモリ、１２  テレビジョンユニットのアンテナ、１３  テレビジョンユニット、１４  メモリ、１５  制御部
【図１】
2006127008.tif 000003
【図２】
2006127008.tif 000004
【図３】
2006127008.tif 000005
【図４】
2006127008.tif 000006
【図５】
2006127008.tif 000007
【図６】
2006127008.tif 000008
【図７】
2006127008.tif 000009
【図８】
2006127008.tif 000010
【図９】
2006127008.tif 000011
【図１０】
2006127008.tif 000012
【図１１】
2006127008.tif 000013
【図１２】
2006127008.tif 000014
【図１３】
2006127008.tif 000015
【図１４】
2006127008.tif 000016
【図１５】
2006127008.tif 000017
【図１６】
2006127008.tif 000018
【図１７】
2006127008.tif 000019
【図１８】
2006127008.tif 000020
【図１９】
2006127008.tif 000021